(57)【特許請求の範囲】
【請求項１】
紙幣を収納する収納庫と、
この収納庫から取り出された紙幣を鑑査判別する出金鑑査判別手段と、
この出金鑑査判別手段により正常と判別された紙幣の枚数を計数する出金計数手段と、
前記出金鑑査判別手段により正常と判別された紙幣を集積する出金口と、
前記出金鑑査判別手段により異常と判別された回数を記憶するリジェクト回数記憶手段と、
前記出金鑑査判別手段により異常と判別された紙幣を集積する出金リジェクト庫と、
前記出金リジェクト庫に集積された紙幣が投入される投入口と、
前記投入口から取り出された紙幣を鑑査判別する入金鑑査判別手段と、
この入金鑑査判別手段により正常と判別された紙幣の枚数を計数する入金計数手段と、
前記入金鑑査判別手段により異常と判別された紙幣を集積する入金リジェクト口と、
この入金リジェクト口に集積された紙幣の枚数を入力する入力手段と、
前記リジェクト回数記憶手段により記憶された回数が前記入金計数手段により正常と判定されて計数された紙幣の枚数と前記入力手段により入力された紙幣の枚数との合計より大きいとき、警告を発生する警告手段とを具備することを特徴とする現金管理システム。
【発明の詳細な説明】
【０００１】
【産業上の利用分野】
本発明は、銀行等に設置された自動取引装置の現金を管理する現金管理システムに係り、特にリジェクト抜き取り処理の際の現金を管理する現金管理システムに関する。
【０００２】
【従来の技術】
ＡＴＭ等と略称される自動取引装置では、出金リジェクト紙幣を回収するためリジェクト抜き取り処理が行われる。このリジェクト抜き取り処理では、出金リジェクト庫内の紙幣をオペレータが抜き取った後、操作部より金種別に金額を手入力している。従来から、かかる処理では、算当照会のリシェクト抜き取りの場合に限り、上記手入力の値をチェックしていた。そのチェック方法は、算当前在高から算当計数結果を減算し、その値を手入力値と比較するものである。
【０００３】
【発明が解決しようとする課題】
従来、出金リジェクト紙幣の抜き取りに関するチェックは、算当処理時に行われているだけであった。すなわち、算当処理時以外に抜き取られた出金リジェクト紙幣に関しては、在高のチェックが何も行われていなかった。従って、仮に算当処理時以外に抜き取られた出金リジェクト紙幣の手入力値に間違いがあったとすると、収納庫の在高データと収納庫内の現物が不一致、すなわち現金事故の発生となる。これは、出金リジェクト庫内の紙幣在高は、データ上正券紙幣の在高の一部とみなされており、単独でデータは存在しないためである。
【０００４】
本発明は、かかる課題を解決するためになされたもので、出金リジェクト紙幣を機械内に収納するとき、出金リジェクト紙幣の機械計数忘れ等の誤操作を防止することで、機械在高データと現物の在高不一致を回避することができる現金管理システムの提供を目的とする。
【０００５】
【課題を解決するための手段】
かかる課題を解決するため、請求項１記載の発明は、紙幣を収納する収納庫と、この収納庫から取り出された紙幣を鑑査判別する出金鑑査判別手段と、この出金鑑査判別手段により正常と判別された紙幣の枚数を計数する出金計数手段と、前記出金鑑査判別手段により正常と判別された紙幣を集積する出金口と、前記出金鑑査判別手段により異常と判別された回数を記憶するリジェクト回数記憶手段と、前記出金鑑査判別手段により異常と判別された紙幣を集積する出金リジェクト庫と、前記出金リジェクト庫に集積された紙幣が投入される投入口と、前記投入口から取り出された紙幣を鑑査判別する入金鑑査判別手段と、この入金鑑査判別手段により正常と判別された紙幣の枚数を計数する入金計数手段と、前記入金鑑査判別手段により異常と判別された紙幣を集積する入金リジェクト口と、この入金リジェクト口に集積された紙幣の枚数を入力する入力手段と、前記リジェクト回数記憶手段により記憶された回数が前記入金計数手段により正常と判定されて計数された紙幣の枚数と前記入力手段により入力された紙幣の枚数との合計より大きいとき、警告を発生する警告手段とを具備する。
【０００９】
【作用】
本発明の現金管理システムでは、前回の出金リジェクト紙幣回収処理から今回までのリジェクト動作回数と今回の出金リジェクト紙幣回収処理における機械計数と手入金枚数の合計値とを比較するチェックを出金リジェクト庫回収時に行うことで、出金リジェクト紙幣の機械計数忘れや手入金忘れを可能な限り防止することができる。
【００１０】
【実施例】
以下、本発明の実施例を図面を用いて詳細に説明する。
【００１１】
図１は本発明の一実施例に係る現金管理システムの構成を概略的に示した図である。
【００１２】
同図において、１〜４はそれぞれ紙幣が収納される収納庫である。
【００１３】
そして、操作部５から支払指示を受けると、収納庫１〜４に集積されている紙幣が取り出され、取り出された紙幣は出金監査部６により区分（金種、真偽）および計数が行われ、この出金監査部６の鑑査判別結果に基づき出金口７または出金リジェクト庫８のうちいずれかに搬送されて集積される。出金口７には、鑑査判別の結果正常と判別された紙幣が集積される。出金リジェクト庫８には、金種判定不能の紙幣または真券と認められなかった紙幣または取り出し不良の紙幣が集積される。
【００１４】
また、操作部５から出金リジェクト庫８内の紙幣を抜き取る指示を受けると、オペレータが出金リジェクト庫８から紙幣を取り出し、取り出した紙幣を投入口９にセットする。次に、オペレータが操作部５より投入口９にセットされている紙幣の計数開始指示を出すと、投入口９より紙幣が取り出され、取り出された紙幣は、入金鑑査部１０により区分（金種、真偽）と計数が行われ、この鑑査判別結果に基づき収納庫１〜４または入金リジェクト庫１１に集積される。収納庫１〜４には，鑑査判別の結果正常と判別された紙幣が集積され、入金リジェクト庫１１には、金種判定不能の紙幣または真券と認められなかった紙幣または取り出し不良の紙幣が集積される。上記の入金リジェクト庫１１に集積された紙幣は、オペレータが操作部５より金種と金額または枚数を入力する。
【００１５】
最終的には、収納庫１〜４に集積された紙幣と操作部５から入力された紙幣の合計を出金リジェクト紙幣回収値とする。
【００１６】
図２はこの実施例に係る現金管理システムの制御系の構成を示したブロック図である。
【００１７】
同図において、１２は収納動作、支払動作等の全ての処理および状態監視の制御を行うＣＰＵである。このＣＰＵ１２には、ＲＯＭ１３とＲＡＭ１４が接続されている。ＲＯＭ１３には、ＣＰＵ１２の動作に必要なプログラムが記憶されている。ＲＡＭ１４には、収納庫枚数、計数枚数、手入力枚数、リジェクト動作回数が記憶される。また、ＣＰＵ１２には、上述した操作部５を制御する操作制御部１５、上述した出金監査部６および入金鑑査部１０を制御する監査制御部１６、および図示を省略した表示部を制御する表示制御部１７、図示を省略した入力部を制御する入力制御部１８が接続されている。
【００１８】
次に、収納庫１〜４に集積されている紙幣を出金口７または出金リジェクト庫８に搬送する際のカウントアップ動作を図３に示すフローチャートに基づき説明する。すなわち、収納庫１〜４から紙幣を取り出し（ステップ３０１）、出金監査部６により紙幣の異常を検出すると（ステップ３０２）、ＲＡＭ１４におけるリジェクト動作回数を１カウントアップし（ステップ３０３）、その紙幣を出金リジェクト庫８に集積する（ステップ３０４）。以上の動作を、収納庫１〜４から紙幣を取り出す毎に行う。
【００１９】
次に、出金リジェクト庫８に集積されている紙幣を収納庫１〜４に収納する際のリジェクト動作回数チェック動作を図４に示すフローチャートに基づき説明する。すなわち、まず出金リジェクト庫８に集積されていた紙幣を投入口９より取り出され（ステップ４０１）、入金鑑査部１０により機械計数を行う（ステップ４０２）。次いで、入金リジェクト庫１１に集積された紙幣の金種と金額または枚数を操作部５より手入力する（ステップ４０３）。そして、リジェクト動作回数と出金リジェクト紙幣回収値とを比較しチェックするリジェクト動作回数チェック動作を行う（ステップ４０４）。このリジェクト動作回数チェック動作では、  前回の出金リジェクト紙幣回収処理から今回までのリジェクト動作回数をｘ
今回の出金リジェクト紙幣回収処理における機械計数枚数と手入金枚数の合計値をｙ
としたとき、
ｘ≦ｙの場合には、正常と判断し、紙幣を収納庫１〜４に収納し（ステップ４０５）、
ｘ＞ｙの場合には、異常と判断し、表示部において警告を発生する（ステップ４０６）。
【００２０】
かくして、本実施例の現金管理システムでは、１回の出金リジェクト動作に対して２枚以上の紙幣が出金リジェクト庫８に集積されることを考慮すると、前回出金リジェクト紙幣回収処理から今回の処理までの間に出金リジェクト庫８へ紙幣が搬送された回数は今回の出金リジェクト紙幣回収枚数よりも常に小さいはずであるという前提に立ち、前回の出金リジェクト紙幣回収処理から今回までのリジェクト動作回数と今回の出金リジェクト紙幣回収処理における機械計数と手入金枚数の合計値とを比較するチェックを出金リジェクト庫回収時に行うことで、出金リジェクト紙幣の機械計数忘れや手入金忘れを可能な限り防止することができる。
【００２１】
すなわち、出金リジェクト庫８には、収納庫１〜４から紙幣を取り出すときに出金鑑査部６における鑑査判別にて不適とされたと紙幣が集積されており、また不適と判別される要素として複数枚取り出しが十分考えられることから、出金リジェクト庫８において単独で金種ごとの紙幣の枚数管理が行えない。よって、出金リジェクト庫８の紙幣は、収納庫１〜４の紙幣の一部として管理される。そのため、上述したように出金リジェクト庫８から紙幣を抜き取るときに例えば紙幣の計数を忘れたまま処理を終了したとすると、出金リジェクト庫紙幣抜き取り処理における紙幣の収納処理では、出金リジェクト庫８の紙幣が収納庫の紙幣の一部として管理されているため、在高の更新処理は行われない。よって、収納すべき紙幣を収納しないとメモリ上の収納庫枚数と現物の収納庫枚数とに不一致が生ずる。そこで、本実施例のようにリジェクト動作回数チェック動作を行うことにより、このような不一致の発生を可能な限り防止することができる。
【００２２】
【発明の効果】
以上説明したように本発明の現金管理システムによれば、出金リジェクト紙幣を機械内に収納するとき、機械在高データと現物の在高不一致を回避することができる。
【図面の簡単な説明】
【図１】本発明の一実施例に係る現金管理システムの構成を概略的に示した図である。
【図２】本発明の一実施例に係る現金管理システムの制御系の構成を示したブロック図である。
【図３】本発明の一実施例に係るカウントアップ動作を示すフローチャートである。
【図４】本発明の一実施例に係るリジェクト動作回数チェック動作を示すフローチャートである。
【符号の説明】
１〜４…収納庫
５…操作部
６…出金監査部
７…出金口
８…出金リジェクト庫
９…投入口
１０…入金鑑査部
１１…入金リジェクト庫
【図１】
0003748275.tif 000002
【図２】
0003748275.tif 000003
【図３】
0003748275.tif 000004
【図４】
0003748275.tif 000005